(57)【要約】      （修正有）【課題】取り付けバーを結合したままであっても、右利き用又は左利き用のゴルフクラブを同時に又は選択的にどちらか一方を展示できるようにした単一のゴルフクラブの展示用支持装置を提供すること。【解決手段】フック部材１と、当該フック部材１を一つ又は複数横方向に連続して着脱自在に結合する傾斜した取り付けバー２とからなり、フック部材１は本体７と、ヘッドＨの下面を支持する線接触部１４と、フェース支持面３と、背面支持面４と、本体７の側部に上下一対のシャフト支持部５，６と、本体７の外面とシャフト支持部５，６の内周面５ａ、６ａとの間に上下方向に沿って形成したシャフト挿入溝と、本体７の中央に傾斜して形成した取り付けバー挿入用孔１０とを備え、本体７の他側上部と側部に線接触部１４と、フェース支持面３と、背面支持面４と、シャフト支持部５，６と、シャフト挿入溝と同じ形状、構造の支持部材をそれぞれ対称に形成した。【選択図】図２
2010252850.tif 000002
【特許請求の範囲】
【請求項１】
フック部材１と、当該フック部材１を一つ又は複数横方向に連続して着脱自在に結合する傾斜した取り付けバー２とからなり、上記フック部材１は本体７と、本体７の上部に形成されてゴルフクラブＧにおけるヘッドＨの下面を支持する線接触部１４と、フェース面８を支持するフェース支持面３と、上記フェース支持面３に対向するヘッドＨの背面支持面４と、上記本体７の側部に湾曲させながら張り出して設けた上下一対のシャフト支持部５，６と、上記本体７の外面と上記シャフト支持部５，６の内周面５ａ、６ａとの間に上下方向に沿って形成したシャフト挿入溝８、９と、上記本体７の中央に傾斜して形成した取り付けバー挿入用孔１０とを備えているゴルフクラブ展示用の支持装置において、上記本体７の他側上部と側部に上記線接触部１４と、上記フェース支持面３と、上記背面支持面４と、上記シャフト支持部５，６と、上記シャフト挿入溝８、９と同じ形状、構造の支持部材をそれぞれ対称に形成し、右利き用のゴルフクラブと左利き用のゴルフクラブを同時に又は選択的に吊り持ちさせて展示させることを特徴とするゴルフクラブの展示用支持装置。
【請求項２】
上記線接触部１４と上記フェース支持面３と上記背面支持面４とが連続するＵ字状の湾曲面又はＶ字状の溝を形成している請求項１のゴルフクラブの展示用支持装置。
【請求項３】
上記取り付けバー挿入用孔１０の開口方向と同じ方向に上記シャフト挿入溝８、９を開口させ、ゴルフクラブを吊り持ちさせて展示した時取り付けバー２の端部方向からゴルフクラブのフェース面又は背面を見せるようにしている請求項１又は２のゴルフクラブの展示用支持装置。
【発明の詳細な説明】
【技術分野】
【０００１】
本発明はウッド又はアイアンにおけるゴルフクラブの展示用支持装置に関し、特に右利き用又は左利き用のゴルフクラブを同時に又はどちらか一方を選択的に展示できるゴルフクラブの展示用支持装置に関する。
【背景技術】
【０００２】
ゴルフ用クラブの陳列用の支持装置としては、例えば、特許文献１に示すように、クラブヘッドを吊り持ちするものが開発されている。
【０００３】
これは、クラブヘッドのヘッドとシャフトを凸部としたとき、この凸部を受容して吊り持ちする凹部を形成したフック部材と、このフック部材を複数個着脱自在に連結する連結部材とから成り、展示物であるゴルフクラブを目立つように展示し、なおかつ客が取り扱い易く、店員が保守管理をやりやすくしているものである。
【０００４】
この後も、例えば特許文献２に示すように、展示用支持装置に展示されたゴルフクラブを、客が手に取って素振りをしたり、自分との適合性を調べるに当って、展示装置から外し易く、かつ、戻し易くする為に展示用支持装置を正面から取り外しできるものも開発されている。
【０００５】
上記従来のゴルフクラブの展示用支持装置は、基本的には右利き用の客を対象として考えられたものである。
【０００６】
ところで日本人の９０％は右利きであり、左利きの人は１割と言われているが、アメリカ人では２５％、ヨーロッパ人は３５％が左利きと言われている。左利きの人は世界の市場を考えたとき、少数ではなく、日本に於いても１割もの人が左利きである。
【０００７】
上記特許文献２に示すゴルフクラブの展示用支持装置は正面から正面方向に取り外しできるタイプのものであるが、この場合も右手で取り外すと取り外しが楽であるが、左手で取り外すためには身体を右側に向けて捻る必要があり、左手を身体の前で交差させて取り外ししなければならない。
【０００８】
しかし、右利きの客用の展示用支持装置に加え左利き用のものを別個に作ることになれば、製造過程では型代金が今までの倍以上かかり、かつそれを店舗展示する店の側では、それぞれのものを、在庫管理することが必要となる。
【０００９】
そこで、例えば、特許文献３に示すように、それぞれ右利き、左利き用として両用して使える単一のゴルフクラブの展示用支持装置が開発された。
【００１０】
これは、ゴルフクラブを吊り持ちするフック部材と、このフック部材を複数斜め方向に着脱自在に挿入して保持させる取り付けバーたるフラットバーとからなるものであり、上記フック部材は本体と、本体の上下に対称に形成したヘッドを受容する上下一対の凹部と、本体の側部に設けた上下一対のシャフト案内部と、本体の中央に傾斜して形成したフラットバー挿入孔とからなるものであり、上記の取り付けバーをフラットバー挿入孔に挿入させている。
【００１１】
このゴルフクラブの展示用支持装置を利用した時には、フック部材のフラットバーへの取り付け方を上下反対に切り替えられるので左利き用、右利き用のゴルフクラブを単一の部材で展示できるので、右利き用、左利き用のための部材、部品を別々に用意する必要をなくすことが出来る効果がある。
【００１２】
そして、フック部材をフラットバーに複数連続して挿入したときフラットバー挿入孔が傾斜しているので、各フック部材が手前側から奥に向かって高くなるように設置され、例えば右利きのクラブを展示した時各クラブをお客が見やすくなるようになっている。
【先行技術文献】
【特許文献】
【００１３】
【特許文献１】特開２００４−１３６０６９号公報（請求項、図面、要約参照）
【特許文献２】特開２００６−３７１７３号公報（請求項、図面、要約参照）
【特許文献３】特開２００８−８００８０号公報（請求項、図５、要約参照）
【発明の概要】
【発明が解決しようとする課題】
【００１４】
しかしながら、上記特許文献３に示すゴルフクラブの展示用支持装置は機能上特に欠陥がある訳ではないが、右利きのクラブに代えて左利きのクラブを展示する時は、フック部材を逆さにしながらフラットバー挿入孔にフラットバーを差し込む必要があり、この時はフラットバー挿入孔が逆向きになってしまいクラブの展示方向が奥に行くに従って下向きとなり、お客がクラブを見にくくなる不具合がある。
【００１５】
そこで、フラットバー挿入孔を若干大きいバカ孔に成形し、フラットバーを傾斜しながら挿入した時フラットバー挿入孔の下方に出来る隙間にスペーサを挿入してフラットバーを右利きの場合と同じように奥側に向かって上向きになるように補正している。
【００１６】
しかしながら、上記のように右利きと左利きのクラブに応じてその都度フック部材を上下逆さにして取り替える作業が面倒であり、その都度スペーサを着脱させる作業も面倒であり、スペーサが扮してしまう恐れもあり、その改善が望まれている。
【００１７】
そこで、本発明の目的は、単一の部材であっても、右利き、左利きのゴルフクラブを同時に又は選択的に展示でき、また、その都度部品を上下逆にして取り替える必要が無く、スペーサ等の余分な部品やその着脱操作を必要としないコンパクトで、展示作業が容易で、経済性に優れたゴルフクラブの展示用支持装置を提供することである。
【課題を解決するための手段】
【００１８】
上記の目的を達成するため、本発明の手段は、フック部材と、当該フック部材を一つ又は複数横方向に連続して着脱自在に結合する傾斜した取り付けバーとからなり、上記フック部材は本体と、本体の上部に形成されてゴルフクラブにおけるヘッドの下面を支持する線接触部と、フェース面を支持するフェース支持面と、上記フェース支持面に対向するヘッドの背面支持面と、上記本体の側部に湾曲させながら張り出して設けた上下一対のシャフト支持部と、上記本体の外面と上記シャフト支持部の内周面との間に上下方向に沿って形成したシャフト挿入溝と、上記本体の中央に傾斜して形成した取り付けバー挿入用孔と、を備えているゴルフクラブの展示用支持装置において、上記本体の他側上部と側部に上記線接触部と、上記フェース支持面と、上記背面支持面と、上記シャフト支持部と、上記シャフト挿入溝と同じ形状、構造の支持部材をそれぞれ対称に形成し、右利き用のゴルフクラブと左利き用のゴルフクラブを同時に又は選択的に吊り持ちさせて展示させることを特徴とするものである。
【００１９】
この場合、上記線接触部と上記フェース支持面と上記背面支持面とが連続するＵ字状の湾曲面又はＶ字状の溝を形成しているのが好ましい。
【００２０】
同じく、上記取り付けバー挿入用孔の開口方向と同じ方向に上記シャフト挿入溝を開口させ、ゴルフクラブを吊り持ちさせて展示した時取り付けバーの端部方向からゴルフクラブのフェース面又は背面を見せるようにしているのが好ましい。
【発明の効果】
【００２１】
各請求項の発明によれば、本体７の他側上部と側部に、一方に形成している線接触部１４と、フェース支持面３と、背面支持面４と、シャフト支持部５，６と、シャフト挿入溝８、９と同じ形状、構造の支持部材をそれぞれ対称に形成ししているから、右利き用のゴルフクラブと左利き用のゴルフクラブを同時に又は選択的に吊り持ちさせて展示させることができる。
【００２２】
その結果、右利きや左利き用に応じて、フック部材１を上下逆にその都度取り替える必要が無く、展示作業が容易であり、スピードアップを図れる。
【００２３】
また、右利きと左利き用のクラブが独立して展示できるばかりでなく、両方のゴルフクラブを同時に展示でき設置スペースの簡素化も図れる。
【００２４】
更に、従来のように、取りつけバー挿入用の孔の隙間を埋める余分なスペーサが不要となり、スペーサを紛失すようなこともなく、部品点数が少なく、構造がコンパクトで、作業性、加工性、経済性に優れている。
【図面の簡単な説明】
【００２５】
【図１】本発明の一実施の形態に係わるゴルフクラブの展示用支持装置におけるフック部材斜視図である。
【図２】本発明の一実施の形態に係わるゴルフクラブの展示用支持装置の一部切欠斜視図である。
【図３】本発明の一実施の形態に係わるゴルフクラブの展示用支持装置の一部切欠縦断側面である。
【図４】同じく分解斜視図である。
【図５】本発明の一実施の形態に係わるゴルフクラブの展示用支持装置を利用して右利きのアイアンクラブを展示している状態の斜視図である。
【図６】同じく、左利きのアイアンクラブを展示している状態の斜視図である。
【図７】右利きのアイアンクラブを展示した状態の正面図である。
【図８】右利きのアイアンクラブを展示した状態の正面図である。
【発明を実施するための形態】
【００２６】
以下、本発明の実施の形態を図に基づいて説明する。
【００２７】
本発明のゴルフクラブの展示用支持装置Ａは図２に示すように、ゴルフクラブＢを吊り持ちさせるフック部材１と、当該フック部材１を一つ又は複数横方向に連続して着脱自在に結合する傾斜した取り付けバー２とからなるものである。
【００２８】
上記フック部材１は図１に示すように、縦方向に起立する肉厚な板状本体７を備え、当該本体の左右両側に同一構造の支持部材を一体に形成している。右側の支持部材は、本体７の右側上部に形成されてゴルフクラブＧにおけるヘッドＨの下面を支持する線接触部１４と、フェース面８を支持するフェース支持面３と、上記フェース支持面３に対向するヘッドＨの背面支持面４と、上記本体７の右側部に水平方向にむけて湾曲させながら張り出して設けた上下一対のシャフト支持部５，６と、上記本体７の外面と上記シャフト支持部５，６の内周面５ａ、６ａとの間に上下方向に沿って形成したシャフト挿入溝８、９とで構成している。
【００２９】
更に、上記本体７の中央に後方に向けて登り勾配となる取り付けバー挿入用孔１０を傾斜して形成している。
【００３０】
同様に、上記フック部材１は、上記本体７の他側たる左側上部と左側側部に上記右側の線接触部１４と、上記フェース支持面３と、上記背面支持面４と、上記シャフト支持部５，６と、上記シャフト挿入溝８、９と同じ形状、構造の左側支持部材をそれぞれ対称に形成し、右利き用のゴルフクラブと左利き用のゴルフクラブを同時に又は選択的に吊り持ちさせて展示させるようになっている。
【００３１】
例えば、図５に示すように、長尺な板状の取り付けバー２に傾斜した取り付けバー挿入用の穴１０を介して複数のフック部材１を挿入して取り付け、次いで、上記取り付けバー２の後端を店舗の壁や什器に水平に取り付けた支持板ＣにジョイントＤを介して着脱自在に結合する。この場合、取り付けバー２は壁側たる後方に向けて傾斜し、これにより各フック部材１の位置が順次後方の向けて高くなっている。
【００３２】
この状態で、各フック部材１の右側の支持部材に複数の３番アイアンからサンドウェッジまでのワンセットのアイアンクラブＢを挿入して展示する。
【００３３】
即ち、フック部材の右側のフェース支持面３にヘッドＨのフェース面８を当接させ、同じくヘッドＨの背面８ａを背面支持面４に宛がい、更に、アイアンクラブＢのシャフトＳをシャフト支持部５、６で抱き込みながら当該シャフトＳをシャフト挿入溝８、９に縦方向に沿って挿入させ、これによりフック部材１を介して各アイアンクラブＢを取り付けバー２に吊り持ちさせる。
【００３４】
このとき、シャフト挿入溝８、９取り付けバー２が伸びる方向、即ち壁や什器の取り付け面と同じ方向に開口しているので、お客は壁の手前側から各クラブの全体の形状やメーカー名等を確認できる。
【００３５】
同様に、図６は左利きのアイアンクラブＢを展示した状態を示す。
【００３６】
この場合には、上記と同じように、取り付けバー２に取り付けバー挿入用の穴１０を介して複数のフック部材１を挿入して取り付け、取り付けバー２の後端を店舗の壁や什器に水平に取り付けた支持板ＣにジョイントＤを介して着脱自在に結合しておく。
【００３７】
次いで、フック部材１の左側のフェース支持面３にヘッドＨのフェース面８を当接させ、同じくヘッドＨの背面８ａを背面支持面４に宛がい、シャフトＳをシャフト支持部５、６で抱き込みながら当該シャフトＳをシャフト挿入溝８、９に縦方向に沿って挿入させて各アイアンクラブＢを取り付けバー２に吊り持ちさせる。
【００３８】
上記の実施の一例では、アイアンクラブの展示について説明したが、ウッドクラブの展示にも同じ方法で使用できる。
【００３９】
また、右側に右利きのクラブ、左側に左利きのクラブを選択的に吊り下げて展示させているが、左右の支持部材に左利き用と右利き用のクラブを同時に吊り持ちさせても良い。
【符号の説明】
【００４０】
１          フック部材
２          取り付けバー
３          フェース支持面３
４          背面支持面
５、６      シャフト支持部
７          本体
８、９      シャフト挿入溝
１０        取り付けバー挿入孔
【図１】
2010252850.tif 000003
【図２】
2010252850.tif 000004
【図３】
2010252850.tif 000005
【図４】
2010252850.tif 000006
【図５】
2010252850.tif 000007
【図６】
2010252850.tif 000008
【図７】
2010252850.tif 000009
【図８】
2010252850.tif 000010